(57)【要約】【課題】  通常の設置形態に加えて液晶ディスプレイを備えた廊下灯の主要部を壁面に埋設することを可能として、壁面からの突出量を抑制できるナースコール装置の廊下灯を提供する。【解決手段】  病室の患者情報を表示する液晶ディスプレイ１０と、呼出表示灯１１と、呼出表示灯１０の表示動作をリセットする復旧ボタン１２とを備え、液晶ディスプレイ１０を組み付けた廊下灯本体２と、液晶ディスプレイ１０周囲の廊下灯本体２の前面を覆う前面パネル３とを有し、廊下灯本体２は液晶ディスプレイ１０を前方に突出して配置すると共に、呼出表示灯１１及び復旧ボタン１２を別途接続するための接続端子１４を備える。【選択図】  図１
2014121480.tif 000002
【特許請求の範囲】
【請求項１】
病室出入口付近の廊下に設置されて、ナースコール子機による呼出発生を報知する呼出表示灯と、病室の患者情報を表示する液晶ディスプレイと、前記呼出表示灯の表示動作をリセットする復旧ボタンとを備えて、病室の患者が看護師を呼び出すためのナースコール子機と、この呼び出しに看護師が応答するためのナースコール親機とが接続されるナースコール装置の廊下灯であって、
前記液晶ディスプレイを組み付けた廊下灯本体と、前記液晶ディスプレイ周囲の前記廊下灯本体の前面を覆う前面パネルとを有し、
前記廊下灯本体は、前記液晶ディスプレイを前方に突出して配置すると共に、前記呼出表示灯及び復旧ボタンを別途接続するための接続端子を有することを特徴とするナースコール装置の廊下灯。
【請求項２】
前記液晶ディスプレイ周囲の前記廊下灯本体前面は、全体で前記液晶ディスプレイから数ミリメートル落とし込んだ位置で前記液晶ディスプレイと略平行な面を構成することを特徴とするナースコール装置の廊下灯。
【請求項３】
前記液晶ディスプレイに隣接する前記廊下灯本体内部には、特定の動作をリセットさせて復旧させるためのスイッチ素子が組み込まれる一方、前記前面パネルには前記スイッチ素子を操作する復旧ボタンが配置され、
前記廊下灯本体前面には、前記スイッチ素子と前記復旧ボタン操作部の間に配置されて前記スイッチ素子の前面を覆い、前記復旧ボタン操作部の操作を前記スイッチ素子へ伝達する伝達片が設けられ、
前記伝達片は、前記廊下灯本体の略平坦な前面より更に落とし込んで配置されて成ることを特徴とする請求項２記載のナースコール装置の廊下灯。
【発明の詳細な説明】
【技術分野】
【０００１】
本発明は、入院中の患者が看護師を呼び出して通話するためのナースコール装置において、病室の出入口に設置されて患者情報を表示し、呼び出しの発生を報知するナースコール装置の廊下灯に関する。
【背景技術】
【０００２】
ナースコール装置は、ベッド毎に呼出ボタンを備えたナースコール子機が設置され、患者により呼出ボタンが操作されたら、ナースステーションに設置されているナースコール親機において呼び出しが報音され、応答操作することで病室の患者とナースステーションの看護師との間で通話を実施できる。また、病室の出入口には廊下灯が設置されて、ナースコール子機による呼び出しが発生したら廊下灯に設けた呼出表示灯を点灯させて報知動作を実施し、患者が呼出ボタンを操作したことがナースステーションに居ない看護師であっても容易に認識できるよう構成されている。
このようにナースコール子機の呼出操作を受けて報知動作する廊下灯には、液晶ディスプレイにより患者情報を表示するものがある。例えば、特許文献１では、中央に液晶表示部を配置し、その上部に呼出表示灯、下部に患者情報の表示を操作する表示ボタンや、呼出表示灯の消灯や液晶ディスプレイの表示を待受状態に移行させる復旧ボタンが配置されている。
【先行技術文献】
【特許文献】
【０００３】
【特許文献１】特開２００６−１２２３１４号公報
【発明の概要】
【発明が解決しようとする課題】
【０００４】
液晶ディスプレイにより患者情報を表示する廊下灯の場合、患者情報を詳細に表示させることができるため看護師にとっては便利であるし、待受時は患者情報を表示させないよう設定できるためプライバシー保護の点でも好ましい。
一方で、廊下灯は病室出入口の廊下の壁面に設置され、液晶ディスプレイを備えた廊下灯は、ディスプレイを見やすい高さに配置する必要があるため比較的低い位置に設置される。そのため、通行の妨げにならないよう更には美観上も壁面からの突出量が小さい形状が望まれている。
【０００５】
そこで、本発明はこのような問題点に鑑み、通常の設置形態に加えて液晶ディスプレイを備えた廊下灯の主要部を壁面に埋設することを可能として、壁面からの突出量を抑制できるナースコール装置の廊下灯を提供することを目的としている。
【課題を解決するための手段】
【０００６】
上記課題を解決する為に、請求項１の発明は、病室出入口付近の廊下に設置されて、ナースコール子機による呼出発生を報知する呼出表示灯と、病室の患者情報を表示する液晶ディスプレイと、呼出表示灯の表示動作をリセットする復旧ボタンとを備えて、病室の患者が看護師を呼び出すためのナースコール子機と、この呼び出しに看護師が応答するためのナースコール親機とが接続されるナースコール装置の廊下灯であって、液晶ディスプレイを組み付けた廊下灯本体と、液晶ディスプレイ周囲の廊下灯本体の前面を覆う前面パネルとを有し、廊下灯本体は、液晶ディスプレイを前方に突出して配置すると共に、呼出表示灯及び復旧ボタンを別途接続するための接続端子を有することを特徴とする。
この構成によれば、前面パネルを取り外せば、液晶ディスプレイ周囲は液晶ディスプレイから一段落とし込んだ後方に配置されるため、液晶ディスプレイのみ露出させた状態で廊下灯本体を壁面に埋設設置することが可能となる。そして、呼出表示灯及び復旧ボタンを別途廊下灯本体に接続すれば、引き続き露出設置する廊下灯と同様に使用することができる。
【０００７】
請求項２の発明は、請求項１に記載の構成において、液晶ディスプレイ周囲の廊下灯本体前面は、全体で液晶ディスプレイから数ミリメートル落とし込んだ位置で液晶ディスプレイと略平行な面を構成することを特徴とする。
この構成によれば、液晶ディスプレイは周囲の廊下灯本体から数ミリメートル突出しているため、液晶ディスプレイのみ壁面から突出させた状態で廊下灯本体を壁面に埋設し、液晶ディスプレイ周囲の廊下灯本体前面及び壁面との境界を例えば別途用意したプレートで覆うことで、壁面からの突出量はプレートの厚み程度で済み、美観上も好ましい設置が可能となる。
【０００８】
請求項３の発明は、請求項２に記載の構成において、液晶ディスプレイに隣接する廊下灯本体内部には、特定の動作をリセットさせて復旧させるためのスイッチ素子が組み込まれる一方、前面パネルにはスイッチ素子を操作する復旧ボタンが配置され、廊下灯本体前面には、スイッチ素子と復旧ボタン操作部の間に配置されてスイッチ素子の前面を覆い、復旧ボタン操作部の操作をスイッチ素子へ伝達する伝達片が設けられ、伝達片は、廊下灯本体の略平坦な前面より更に落とし込んで配置されて成ることを特徴とする。
この構成によれば、復旧ボタンのスイッチ素子は伝達片に覆われるため、前面パネルが外されても露出することが無く保護される。また、伝達片は、廊下灯本体の前面より落とし込んだ部位に配置されるため、廊下灯本体を壁面に埋設しても壁材等の作用により誤動作するようなことがない。
【発明の効果】
【０００９】
本発明によれば、前面パネルを取り外せば、液晶ディスプレイ周囲は液晶ディスプレイから一段落とし込んだ後方に配置されるため、液晶ディスプレイのみ露出させた状態で廊下灯本体を壁面に埋設設置することが可能となる。そして、呼出表示灯及び復旧ボタンを別途廊下灯本体に接続すれば、引き続き露出設置する廊下灯と同様に使用することができる。
【図面の簡単な説明】
【００１０】
【図１】本発明に係るナースコール装置の廊下灯の一例を示す斜視図であり、廊下灯本体と前面パネルとに分離した状態を示している。
【図２】廊下灯の背面側斜視図である。
【図３】Ａ部拡大図である。
【図４】前面パネルの背面視斜視図である。
【図５】廊下灯の部分縦断面図である。
【図６】壁面に埋設する状態の廊下灯本体の正面図である。
【図７】壁面に廊下灯本体を埋設した状態を示す断面説明図である。
【図８】パネルを装着した廊下灯本体の斜視説明図である。
【図９】廊下灯本体を埋設設置した場合の廊下灯の構成図である。
【発明を実施するための形態】
【００１１】
以下、本発明を具体化した実施の形態を、図面を参照して詳細に説明する。図１は本発明に係るナースコール装置の廊下灯の一例を示す斜視図であり、液晶ディスプレイ周囲を覆う前面パネルを廊下灯本体から分離した状態を示している。廊下灯１は、主要部を構成する廊下灯本体２と廊下灯本体２の前面を覆う前面パネル３とで構成され、中央に患者情報を表示する液晶ディスプレイ１０が配置され、その上部に呼出発生を発光通知する呼出表示灯１１、下部に呼出表示灯の発光を終了させる復旧ボタン１２が配置されている。
液晶ディスプレイ１０、呼出表示灯１１は廊下灯本体２に配置され、復旧ボタン１２は前面パネル３に設けられている。
【００１２】
前面パネル３は、廊下灯本体２に配置されている液晶ディスプレイ１０の周囲を覆って閉塞するよう形成され、液晶ディスプレイ１０を露出させるための大きなディスプレイ用開口部３１が設けられ、その上部には呼出表示灯１１を前方に突出させるための表示灯用開口部３２が設けられている。復旧ボタン１２は、下部中央に一体形成されている。
【００１３】
図２は廊下灯１の背面方向から見た斜視図であり、廊下灯本体２の背面を示している。図２に示すように、廊下灯本体２背面の略中央には矩形の突起部１３が形成され、その内部に各種機器と接続するための複数の接続端子１４，１４，・・が集中配置されている。この接続端子１４を介して、患者が看護師を呼び出すためのナースコール子機（図示せず）や看護師が呼び出しに応答するためのナースコール親機（図示せず）等の他のナースコール機器が接続される。また、後述する埋設設置された場合には、別途呼出表示灯及び復旧ボタンがこの中の所定の接続端子１４を使用して接続される。
【００１４】
そして、廊下灯本体２の前面は、図１に示す液晶ディスプレイ１０周囲の面Ｆ１〜Ｆ５の各部が、液晶ディスプレイ１０の前面から一段低く形成され（後方に配置され）た同一面に配置されされている。この結果、全体で平坦な面Ｆを形成し、呼出表示灯１１を除きこの平坦な面Ｆから前方に突出する部位が無いよう形成されている。尚、後述するように呼出表示灯１１を分離すれば、平坦な面Ｆより突出する部位は全く無くなる。
また、この平坦な面Ｆ上の液晶ディスプレイ１０の上部には前方に突出した立体形状の呼出表示灯カバー１１ａが取り付けられ、この内部には呼び出しを発光通知するための複数のＬＥＤ（図示せず）が配置されている。また下部には、廊下灯本体２の内部に組み込まれているスイッチ素子（図示せず）の前面を覆い、スイッチ素子を操作するための弾性を有するコ字状の伝達片１５が形成されている。
【００１５】
尚、廊下灯本体２の前面には、前面パネル３を装着するための係止孔１８が周囲の複数箇所に設けられている。また、廊下灯本体２を構成する本体ケース２０は合成樹脂で形成され、背面を構成するケース下２０ａと液晶ディスプレイ１０が組み付けられたケース上２０ｂとで構成され、伝達片１５はケース上２０ｂに形成されている。
【００１６】
図３は図１のＡ部の拡大図であり、この伝達片１５の拡大図を示している。図３に示すように、伝達片１５は廊下灯本体２に一対のコ字状のスリット２１ａ，２１ｂを入れて形成され、本体ケース２０を合成樹脂で形成することで、その特性を利用して弾性を持たせている。また、周囲の平坦な面Ｆから僅かに低い位置に形成されている。
【００１７】
図４は、前面パネル３を背面方向から見た斜視図を示している。この図４に示すように、前面パネル３は、廊下灯本体２に設けられた係止孔１８に挿入する複数の係止突起３３を有し、挿入して係止させることで取り付けられる。そして、この係止作用により取り付けた状態で廊下灯本体２から僅かに浮いた状態で保持される。この結果、前面パネル３の任意の部位を操作ボタンとして使用することを可能としている。但し、ここでは下部中央を復旧ボタン１２としている。
【００１８】
復旧ボタン１２は、前面パネル３の下部に、下端からディスプレイ用開口部３１近傍に至る長さの平行する２本の直線状スリット３４を設けて形成され、周囲と分離されて押下操作を可能としている。そして、廊下灯本体２に形成されている伝達片１５を覆う大きさで形成され、図４に示すように、伝達片１５に当接する操作突起１２ａが設けられている。
【００１９】
図５は廊下灯１の部分縦断面図であり、復旧ボタン１２と伝達片１５の関係を示している。図５に示すように、復旧ボタン１２の背面に設けられ操作突起１２ａが伝達片１５の凹部１５ａに係合し、復旧ボタン１２の押下操作がスムーズに伝達片１５に伝達されるよう構成されている。この結果、復旧ボタン１２を押下すると、伝達片１５が後方に弾性変形してスイッチ素子が操作される。また、図５において、段差Ｈは液晶ディスプレイ１０前面と廊下灯本体２の平坦な面Ｆとの距離を示し、ここでは約３ｍｍの段差を設けている。
【００２０】
上記の如く構成された廊下灯１は、全体を露出させた従来の形態と、廊下灯本体２を壁面に埋設する形態の何れかの形態で壁面に設置することができる。最初に全体を露出させた状態で設置する形態を簡単に説明する。
全体を露出させる場合は、廊下灯本体２の背部に形成された突起部１３を、図示しない壁面に開口された設置孔に収容して設置する。具体的には、壁面内に配置された埋設ボックス（図示せず）に突起部１３を収納し、ケース下２０ａをネジ止めしたり、壁掛金具等で固定して設置される。また、埋設ボックスを利用して配線の接続が成される。
【００２１】
廊下灯本体２を壁面に収納する設置は次のように実施される。この場合、廊下灯本体２から前面パネル３が取り外され、更に呼出表示灯カバー１１ａも取り外される。こうして、前面パネル３、呼出表示灯カバー１１ａを取り外した廊下灯本体２の正面図を図６に示している。図６において、１１ｂは光源を取り除いた呼出表示灯を示し、表示灯カバー１１ａを取り外すことで液晶ディスプレイ１０周囲の廊下灯本体前面は、平坦な面Ｆから突出する部位は無くなる。
【００２２】
そして、この廊下灯本体２を壁面に埋設設置した状態の縦断面説明図を図７に示している。図７において、４０は液晶ディスプレイ１０を露出させる開口部４１（図８）を備えたプレートであり、液晶ディスプレイ１０の周囲を覆うためのものである。Ｗは壁面を示し、この壁面Ｗには廊下灯本体２の外寸に合わせて形成された開口部Ｗ１が形成され、この開口部Ｗ１に廊下灯本体２は収納される。収納された廊下灯本体２は、プレート４０により液晶ディスプレイ１０周囲の露出している前面及び開口部Ｗ１が覆われる。
図８は、このプレート４０で液晶ディスプレイ１０の周囲を覆った状態の廊下灯本体２の斜視図を示している。プレート４０は、４隅に設けられている透孔４２を使用してネジ止め等で壁面に固定される。
【００２３】
廊下灯本体２の液晶ディスプレイ１０周囲は、一段低く形成され且つ略平坦に形成されているため、図７に示すように廊下灯本体２を壁面Ｗに埋設した際に、液晶ディスプレイ１０周囲の平坦な面Ｆを壁面と面一にすることで、プレート４０を平坦な面Ｆに密着させることで壁面Ｗとの間に隙間が発生することが無く、良好に覆うことができる。
尚、このとき使用されるパネル４０は液晶ディスプレイ１０と廊下灯本体２の平坦な面Ｆとの段差Ｈより僅かに小さい厚みのパネルを使用すると良い。
【００２４】
そして、埋設設置する場合、呼出表示灯１１と復旧ボタン１２は廊下灯本体２とは独立して設置される。図９は、この設置形態の場合の廊下灯の構成図を示している。図９に示すように、廊下灯本体２は液晶ディスプレイ（ＬＣＤ）１０に加えて、内部に廊下灯を制御する廊下灯ＣＰＵ２３、各種接続端子を備えたインターフェース（ＩＦ）２４を有し、復旧ボタン１２及び呼出表示灯１１を備えた表示灯装置２５と、廊下灯本体２の背面に設けられている所定の接続端子１４と伝送線Ｌ１により接続される。
【００２５】
このように、前面パネル３を取り外せば、液晶ディスプレイ１０周囲は液晶ディスプレイ１０から一段落とし込んだ後方に配置されるため、液晶ディスプレイ１０のみ露出させた状態で廊下灯本体２を壁面に埋設設置することが可能となる。そして、呼出表示灯１１及び復旧ボタン１２を別途廊下灯本体２に接続すれば、引き続き露出設置する廊下灯１と同様に使用することができる。
また、液晶ディスプレイ１０は周囲の廊下灯本体２の前面から数ミリメートル突出しているため、液晶ディスプレイ１０のみ壁面Ｗから突出させた状態で廊下灯本体２を壁面に埋設し、液晶ディスプレイ１０周囲の廊下灯本体２の前面及び壁面との境界を別途用意したプレート４０で覆うことで、壁面Ｗからの突出量はプレート４０の厚み程度で済み、美観上も好ましい設置が可能となる。
更に、復旧ボタン１２のスイッチ素子は伝達片１５に覆われるため、前面パネル３が外されても露出することが無く保護される。また、伝達片１５は、廊下灯本体２の前面より落とし込んだ部位に配置されるため、廊下灯本体２を壁面に埋設しても壁材等の作用により誤動作するようなことがない。
【００２６】
尚、上記実施形態では、復旧ボタンを前面パネル３に一体に形成したが、別体として前面パネル３に組み込んでも良い。また、呼出表示灯１１は廊下灯本体２に組み付けたが、そのうち呼出表示灯カバー１１ａは前面パネル３に組み付けても良い。
【符号の説明】
【００２７】
１・・廊下灯、２・・廊下灯本体、３・・前面パネル、１０・・液晶ディスプレイ、１１・・呼出表示灯、１２・・復旧ボタン、１４・・接続端子、１５・・伝達片、２０・・本体ケース。
【図１】
2014121480.tif 000003
【図２】
2014121480.tif 000004
【図３】
2014121480.tif 000005
【図４】
2014121480.tif 000006
【図５】
2014121480.tif 000007
【図６】
2014121480.tif 000008
【図７】
2014121480.tif 000009
【図８】
2014121480.tif 000010
【図９】
2014121480.tif 000011